(57)【要約】本発明は、遠隔映像・音声制作システムに関し、前記システムは、映像制作のための制御室に関連する第１の部分と、記録予定のイベントの現場における第２の部分とを備え、第１及び第２の部分は、データストリームによって互いに通信する。データストリームを、広域ネットワークを通じて第１及び第２の部分間で送信されるように適合することが提案される。
2014502076.tif 000002
【特許請求の範囲】
【請求項１】
遠隔映像・音声制作のためのシステムであって、
映像制作のための制御室に関連する第１の部分と、記録予定のイベントの現場における第２の部分とを備え、
前記第１及び第２の部分がデータストリームによって互いに通信し、
前記データストリームが広域ネットワークを通じて前記第１及び第２の部分間で送信されるように適合されており、
信号経路が前記第１及び第２の部分間に前記広域ネットワークを介して確立される、システムにおいて、
前記信号経路が、少なくとも第１及び第２の論理的に分離された経路を備え、
第１の論理的信号経路が１次データを伝送するように適合され、
前記第１の論理的信号経路が、１次データの伝送においてゼロ時間遅延を有するサービス品質を提供するように適合されており、
第２の論理的信号経路が、２次データを伝送するように適合され、２次データがより低いサービス品質を許容することができ、
前記１次データが映像及び音声信号などの実時間データであることを特徴とするシステム。
【請求項２】
前記２次データが、前記現場における遠隔カメラを前記制御室から制御するための遠隔カメラ制御データを含むことを特徴とする請求項１に記載のシステム。
【請求項３】
前記２次データが、前記制御室内の任意のカメラ遠隔制御パネルと前記現場における任意のカメラ制御ユニットとの間の制御データを含むことを特徴とする請求項２に記載のシステム。
【請求項４】
前記２次データが、前記現場における遠隔音声機器を前記制御室から制御するための遠隔音声制御データを含むことを特徴とする請求項１〜３のいずれか一項に記載のシステム。
【請求項５】
前記２次データが、前記制御室から送信され前記現場における機器のエラー管理及びエラー制御用のデータを含むことを特徴とする請求項１〜４のいずれか一項に記載のシステム。
【請求項６】
前記２次データが、前記制御室における第１のクルーのメンバーと前記現場における第２のクルーのメンバーとの間の音声通信を含むことを特徴とする請求項１〜５のいずれか一項に記載のシステム。
【請求項７】
前記第１の部分が第１の通信マトリクスを備え、
前記第１の通信マトリクスでは、第１の入力接続部及び第１の出力接続部は第１のクルーのメンバー専用であり、
前記第１の通信マトリクスが、前記制御室における前記第１のクルーのメンバー間の任意の必要な通信を、前記第１の入力及び出力接続部を介して可能とするように適合されており、
前記第２の部分が第２の通信マトリクスを備え、
前記第２の通信マトリクスでは、第２の入力接続部及び第２の出力接続部は第２のクルーのメンバー専用であり、
前記第２の通信マトリクスが、前記第２のクルーのメンバー間に任意の必要な通信を前記第２の入力及び出力接続部を介して可能とするように適合されており、
前記第１の通信マトリクスでは、第３の入力接続部及び第３の出力接続部は、あたかも前記第２のクルーのメンバーが前記制御室にいるかのように、前記第２のクルーの前記メンバー専用であり、
前記第２の通信マトリクスでは、第４の入力接続部及び第４の出力接続部は、あたかも前記第１のクルーのメンバーが前記現場にいるかのように、前記第１のクルーの前記メンバー専用であり、
前記第３の出力接続部からの発信データは前記第４の入力接続部に通信し、
前記第４の出力接続部からの発信データは前記第３の入力接続部に通信し、
前記１次又は２次データは、通信の実時間要求に応じて、前記第３及び第４の入力接続部への入力データと、前記第３及び第４の出力接続部からの出力データとを含むことを特徴とする請求項６に記載のシステム。
【請求項８】
前記２次データが、前記制御室から送信され前記第２の通信マトリクスを設定、管理及び制御するために必要とされる制御データを含み、
前記第２の通信マトリクスが、前記第１の通信マトリクスの論理的ミラーとして構成及び管理されることを特徴とする請求項７に記載のシステム。
【請求項９】
前記第２の論理的信号経路が、異なるサービス品質をそれぞれ提供するいくつかの異なる信号経路に分割され、機器の遠隔制御及びクルーメンバー間の音声通信など、実時間アプリケーションに関連するデータが、エラー管理及び通信マトリクスの管理など、非実時間アプリケーションに関連するデータよりも高いサービス品質を有する論理的信号経路を介して通信するように適合されていることを特徴とする請求項１〜８のいずれか一項に記載のシステム。
【請求項１０】
少なくとも前記第１の論理的信号経路が、光ファイバ通信によって実現されることを特徴とする請求項１〜９のいずれか一項に記載のシステム。
【請求項１１】
前記第２の論理的信号経路が、光ファイバ通信によって実現されることを特徴とする請求項１０に記載のシステム。
【請求項１２】
前記第２の部分が、記録予定のイベントに頻繁に使用される現場に配置された固定部であることを特徴とする請求項１〜１１のいずれか一項に記載のシステム。
【請求項１３】
前記第２の部分が、記録予定のイベントに使用される現場へ移動可能な移動部であることを特徴とする請求項１から１１のいずれか一項に記載のシステム。
【請求項１４】
前記第１の部分が、制御室における標準の部分であることを特徴とする請求項１〜１３のいずれか一項に記載のシステム。
【請求項１５】
前記第１の部分が、２つ以上の第２の部分と同時に通信するように適合されていることを特徴とする請求項１〜１４のいずれか一項に記載のシステム。
【発明の詳細な説明】
【技術分野】
【０００１】
本発明は、遠隔映像・音声制作システムに関し、前記システムは、前記映像制作のための制御室に関連する第１の部分と、記録予定のイベントの現場における第２の部分とを備え、前記第１及び第２の部分は、データストリームによって互いに通信する。
【背景技術】
【０００２】
中継放送は、移動式テレビスタジオからのテレビ又はラジオ番組の（通常はニュースやスポーツイベントを報道するための）制作である。この移動式制御室は、「中継放送バン」、「ＯＢ（Ｏｕｔｓｉｄｅ  Ｂｒｏａｄｃａｓｔｉｎｇ）バン」、「ＯＢバス」、「移動ユニット」、「遠隔トラック」、「ライブトラック」、「ライブアイ」、又は、「制作トラック」として知られている。移動式ＯＢバスは、遠隔の記録現場又はその近くに配置されており、遠隔の記録現場におけるカメラ及びマイクロホンからの信号はＯＢバスに入り、処理されてセンターへ送信され、場合によっては最終制作され、そして最終的に放送される。現場の人とＯＢバス内の人との間で行われる多くの口頭でのやりとりや、カメラ及びマイクロホンからの実際の信号に加えて、現場において信号をキャプチャするために使用される別の機器からのメタデータや、現場におけるカメラ及びマイクロホンをＯＢバスから制御するために使用される制御データなど、データの通信もある。
【０００３】
クロスバースイッチは、複数の入力と複数の出力との間の個々のスイッチのアセンブリである。スイッチは、マトリクス状に配置されている。クロスバースイッチがＭ個の入力とＮ個の出力を有する場合、クロスバーは、Ｍ×Ｎ個のクロスポイント、又は「バー」が交差するところを有するマトリクスを有する。各クロスポイントには１つのスイッチがあり、閉鎖されたときにＭ個の入力のうちの１つをＮ個の出力のうちの１つに接続する。所定のクロスバーは、シングルレイヤの非遮断スイッチである。クロスバーの集合を使用して、マルチレイヤや遮断スイッチを実装することができる。また、クロスバー切り替えシステムは座標切り替えシステムとも称されている。いくつかの入力を同時に１つの出力に接続することができるのと同じように、１つの入力を、同時にいくつかの出力に接続することができる。
【０００４】
本明細書において、通信マトリクスは、クロスバースイッチの特性及び論理機能を有するユニットであるが、従来のハードウェアのクロスバースイッチである必要はなく、１つの入力を１つ若しくはいくつかの出力に同時に、及び１つ若しくはいくつかの入力を１つの出力に同時に接続するよう制御することができる複数の入力及び出力を有する任意のスイッチとすることができることが、理解されるべきである。
【０００５】
メディア素材の記録及び制作では、異なる作業に従事する複数の人がいる。例えば、映像制作中には、カメラマン、音声技術者及びレポータなどの人が実際の現場にいるし、ＯＢバスには、映像及び音声技術者、ミキサー、プロデューサ、グラフィックデザイナー、照明技術者及び編集者などの人がいる。これらの人は、現場同士でも、ＯＢバス内同士でも、さらに現場とＯＢバスとの間でも、互いに通信することができなければならない。このために、イベントの現場にいる任意の人とＯＢバス内にいる任意の人との間での通信を可能とするための通信マトリクスを使用することが知られている。
【０００６】
映像制作用のカメラには、カメラヘッド及びカメラ制御ユニット（ＣＣＵ）を備えているものもあり、そのようなカメラでは、カメラヘッドと制御信号を双方向通信するために、並びに実際の映像信号を通信するために、映像信号をキャプチャする全ての時間においてカメラヘッドとカメラ制御ユニットとの間で高速実時間通信が保持されなければならない。カメラヘッドとＣＣＵとの間の通信には多重ケーブルが使用され、この多重ケーブルは通常は３軸ケーブル又はハイブリッド・ファイバケーブルである。カメラを制御して管理するための各信号及び機能と実際のカメラ信号はＣＣＵから得られ、任意の他の種類の信号伝送によってＯＢバスへと伝送することができる。
【０００７】
また、イベントの現場と制御室との間の距離を見出すことができ、かつデータストリームによって現場と制御室との間の必要な通信が確立される遠隔映像制作を提供することも公知である。遠隔映像制作の例は、特許文献１に見られる。
【先行技術文献】
【特許文献】
【０００８】
【特許文献１】米国特許出願公開第２００９／０２９００７０号明細書
【発明の概要】
【発明が解決しようとする課題】
【０００９】
従来のＯＢバスの使用には、バス自体の移送、移動時間及びＯＢバスにおけるクルーのコスト、移送における環境問題及び現場でのバスの使用など、多くの問題がある。これらの問題は、様々な制作又は中継放送チームからの多くのバスが１つの、そして同じ現場にある場合もあるため、大きなイベントでは拡大する。
【００１０】
イベントの現場が、大きなバスで到達することが困難な場所にあることもあるため、いくつかのイベントには、ＯＢバスを移送することさえにも問題がある。
また、ＯＢバスは標準的制御室と比較して、制御室として機能するその能力においては制限される。通常の制御室から離れた場所でのイベントの記録のために、現場に通常の制御室の全ての利便性及び機器を有することが望ましい。
【００１１】
これらの理由のために、通常はイベントの現場でＯＢバス内にいるクルーが通常の制御室に残ることができ、イベントを記録するのに必要とされる実際の信号を取得するために必要なクルーのみが、必須の機器と共にイベントの現場に移動し、情報がある種のデータストリームによって現場と制御室との間で通信する遠隔映像及び音声制作について、可能性を提供するいくつかの試みがあった。
【００１２】
システムは、映像制作のための制御室に関連する第１の部分と、記録予定のイベントの現場における第２の部分とを備え、第１及び第２の部分がデータストリームによって互いに通信するものであり、都市間で、国をまたがって、大陸をまたがって、又は大陸間でなど、長距離にわたる遠隔映像・音声制作のためのシステムを確立することには、なおも技術的問題がある。
【００１３】
遠隔映像・音声制作のためのシステムを確立するのに必要とされる全ての情報を伝送するのに必要な帯域幅を見出し、その通信に合わせて利用可能な帯域幅の使用を最適化することには、問題がある。
【００１４】
その通信において利用可能な帯域幅の使用を最適化するために、第１及び第２の部分で異なる信号間で優先順位を決定することも問題である。
制御室における第１のクルーのメンバーと、現場における第２のクルーのメンバーとが長距離を越えて、自由に互いに通信する可能性を提供することには技術的問題がある。
【００１５】
第１及び第２のクルーのメンバー間に、長距離を越えてそのような通信可能性を設定し、管理することにも問題がある。
【課題を解決するための手段】
【００１６】
上述した問題の１つ以上を解決する目的で、上述した発明の分野の観点から、本発明は、データストリームが、インターネットなどの広域ネットワークによって第１及び第２の部分間で通信するように適合されていることを教示する。
【００１７】
前記第１及び第２の部分間には広域ネットワークを介して信号経路が確立され、前記信号経路は少なくとも第１及び第２の論理的に分離された経路を備え、第１の論理的信号経路は１次データを伝送するように適合され、第１の論理的信号経路は１次データの伝送においてゼロ時間遅延のサービス品質を提供するように適合されており、第２の論理的信号経路が、２次データを伝送するように適合され、２次データがより低いサービス品質を許容することができることが提案される。
【００１８】
１次データは、映像及び音声信号などの実時間データである。
２次データは、実時間要求が実際の映像及び音声信号に関するものほど高くはない、多くの異なる種類の情報に関するデータを含む。このデータは、例えば、制御室から送信され現場にある遠隔カメラを制御するための遠隔カメラ制御データとすることができ、制御室内の任意のカメラ遠隔制御パネルと現場の任意のカメラ制御ユニットとの間の制御データとすることができ、制御室から送信され現場の遠隔音声機器を制御するための遠隔音声制御データとすることができ、制御室から送信され現場の機器のエラー管理及びエラー制御用のデータとすることができ、制御室の第１のクルーメンバーと現場の第２のクルーメンバーとの間における音声通信とすることができ、そのような音声通信は、いかなる時間遅延にとっても重要でない。第１のクルーメンバーと第２のクルーメンバーとの間のいくつかの音声通信は実時間要求を有する場合もあり、その場合、この通信を伝送するデータは１次データとなる。
【００１９】
２つの異なるチームにおけるクルー間の通信は重要であり、２つのチーム間において必要とされる通信の可能性を提供するために、第１の部分は第１の通信マトリクスを備え、第１の通信マトリクスでは第１の入力接続部及び第１の出力接続部は第１のクルーのメンバー専用であり、第１の通信マトリクスは、第１のクルーのメンバー間におけるいかなる必要な通信も、その接続を通じて可能とするように適合されることが提案される。
【００２０】
第２の部分は第２の通信マトリクスを備え、第２の通信マトリクスでは第２の入力接続部及び第２の出力接続部は第２のクルーのメンバー専用であり、第２の通信マトリクスは、第２のクルーのメンバー間におけるいかなる必要な通信も、その接続を通じて可能とするように適合されることも提案される。
【００２１】
これらの２つのマトリクスは、制御室と現場とにおけるそれぞれのクルーのメンバー同士についての通信を可能とするが、２つの異なるクルー間の通信を提供するために、第１の通信マトリクスにおける第３の入力接続部及び第３の出力接続部が第２のクルーのメンバー専用であり、あたかも第２のクルーのメンバーが制御室にいるかのように適合され、第２の通信マトリクスにおける第４の入力接続部及び第４の出力接続部が第１のクルーのメンバー専用であり、あたかも第１のクルーのメンバーが現場にいるかのように適合されることが提案される。通信の実時間要求に応じて、１次又は２次データが、第３及び第４の入力接続部への入力データと、第３及び第４の出力接続部からの発信データとを含むことが提案される。これにより、相互に異なるクルーのメンバー間における通信が可能となる。
【００２２】
制御室から第２のマトリクスを設定し、管理する可能性を提供する目的で、２次データが、制御室から第２の通信マトリクスを設定、管理及び制御するために必要とされる制御データを含むことが提案される。第２の通信マトリクスが、第１の通信マトリクスの論理的ミラーであるように構成及び管理されることも提案される。
【００２３】
多くの異なる種類の２次データがあり、その通信される情報についてのサービス品質に関しての要求が相互に異なり、データストリーム用の利用可能な帯域幅の最適化を可能とするという目的を有することから、第２の論理的信号経路が、異なるサービス品質をそれぞれ提供するいくつかの異なる信号経路に分割され、機器の遠隔制御やクルーメンバー間における音声通信などの実時間アプリケーションに関連するデータが、エラー管理や通信マトリクスの管理などの非実時間アプリケーションに関連するデータよりも高いサービス品質を有する論理的信号経路を介して通信するように適合されることが提案される。
【００２４】
クルーメンバー間における音声通信や機器の遠隔制御などの実際の映像及び音声信号以外の実時間データは、１次データであるとみなすことができ、それゆえに、第１の論理的信号経路を介して通信することができることが理解されるべきである。
【００２５】
信号経路における帯域幅が十分である場合には、第１の論理的信号経路と同じ経路に、同じサービス品質を有する第２の論理的信号経路を確立することが可能であることも理解されるべきである。それゆえに、必要な帯域幅が利用可能であれば、いかなるデータでも、非常に低い伝送要求を有するデータでも、第１及び第２のユニット間の全てのデータさえも、ゼロ時間遅延で通信することができる。
【００２６】
信号経路を実現する１つの方法は、少なくとも第１の論理的信号経路を光ファイバ通信によって実現する方法である。
第２の論理的信号経路が光ファイバ通信によって実現されることも可能である。
【００２７】
第１の部分はいくつかの別個の第２の部分と通信するように適合することができ、それにより、異なる現場で起こっているイベント又は互いに関連しない異なるイベントの遠隔制作が可能となることが理解されるべきである。
【発明の効果】
【００２８】
本発明によるシステムの効果は、映像・音声制作のためのシステムにおけるイベントの現場と制御室との間で必要とされるデータの通信が、イベントの現場と制御室との距離に起因するいかなる遅延を生ずることなく、生中継が可能であるように実現することができることである。
【００２９】
制御室のクルーとイベントの現場のクルーとが、ちょうどあたかも彼らが同じ場所で１つの共通通信マトリクスを介して通信するかのように、制限なく互いに通信できるという可能性を提供するという利点がある。
【００３０】
ＯＢバスと比較して、快適で通常の機器レベルを有している離れた場所の生のイベントから映像・音声素材を制作するという利点もある。
本発明にかかるシステムは、ここで、以下の添付図面を参照しながら詳述される。
【図面の簡単な説明】
【００３１】
【図１】本発明によるシステムの概略かつ簡略図である。
【図２】本発明による、一緒に機能するように適合された第１及び第２の通信マトリクスの概略かつ簡略図である。
【図３】いくつかの別個の第２の部分と通信する第１の部分の概略かつ簡略図である。
【図４】本発明のシステムに含まれる構成要素の概略図である。
【発明を実施するための形態】
【００３２】
本発明について、遠隔映像・音声制作のためのシステムを示す図１を参照して説明する。
本発明の明細書では映像及び音声制作について説明するが、本発明は、遠隔の現場からの音声のみを記録する遠隔音声制作に使用することもできると理解されるべきである。音声のみでは、音声情報を通信するために、映像又は映像音声情報と同じ帯域幅を必要としないかもしれない場合であっても、本発明にかかる原理及びシステムは、音声だけの制作のためにも使用することができる。
【００３３】
本発明のシステムは、映像制作のための制御室１１に関連した第１の部分１と、記録予定のイベントの現場２１における第２の部分２とを備える。
第１及び第２の部分１、２は、データストリーム３’によって互いに通信するように適合されており、このデータストリームは、インターネットなどの広域ネットワーク３によって第１及び第２の部分１、２の間を通信するように適合されている。
【００３４】
広域ネットワーク３を介する第１及び第２の部分１、２の間の２地点間経路を設定及び専用化し、それにより、広域ネットワーク上に、安全な通信を第１及び第２のユニット間に確立することができる仮想イントラネットを形成することが可能である。通信は、データが感染することなく届けられるという意味、権限のない者によって監視されないという意味、及び、時間通りに届けられるという意味でなど、様々な点で安全である。これらの全ての態様が重要である場合であっても、本発明は、実時間情報の通信におけるデータ通信の時間態様に関すると理解されるべきである。
【００３５】
本発明は、第１及び第２の部分１、２の間に広域ネットワークを介して信号経路３１が確立されること及び、信号経路３１が少なくとも論理的に分離された第１及び第２の経路３１１、３１２を含むことを提案する。
【００３６】
第１の論理的信号経路３１１は、１次データ３１１’を伝送し、１次データ３１１’の伝送においてゼロ時間遅延のサービス品質を提供するように適合されている。第２の論理的信号経路３１２は、２次データ３１２’を伝送するように適合されており、２次データは、第１の論理的信号経路３１１によって提供されるサービス品質よりも低いサービス品質を許容することができる。
【００３７】
１次データ３１１’は、映像信号及び音声信号などの実時間データである。
潜在的遅延を最短にするために、音声信号及び映像信号は、圧縮又は同期など、現場２１において信号のいかなる管理も受けることなく送信されることが提案される。これには、標準画質映像について高帯域幅を、高解像度映像についてはより高い帯域幅を必要とする。信号が圧縮されれば、高解像度映像でも、非圧縮の標準画質映像よりも低い帯域幅で送ることができるが、信号を送る前の信号の圧縮が、若干の遅延を生じさせる。従って、必要とする帯域幅が低く、非常に短い遅延の圧縮信号と、より高い帯域幅を必要とするが、圧縮のための遅延はない非圧縮信号のどちらかを選択することが可能である。
【００３８】
２次データ３１２’は、実時間要求を必ずしも有しない信号又は情報に関連するデータを含む。
２次データ３１２’は、例えば、制御室１１から送信され現場２１の遠隔カメラ２４を制御するための遠隔カメラ制御データとすることができ、カメラ２６の間接的制御のための、制御室１１内の任意のカメラ遠隔制御パネル１４と現場２１の任意のカメラ制御ユニット２５との間の制御データとすることができ、制御室１１から現場２１の遠隔音声機器２７を制御するための遠隔音声制御データとすることができる。これらの、２次データ３１２’の例は、ゼロ時間遅延という厳密な要求を有しないかもしれない場合であっても、なおも若干の実時間要求を有することがある。
【００３９】
遠隔カメラ２４又はマイクロホン・プリアンプなどの遠隔音声機器２７の制御に使用される信号プロトコルは、例えば、通信に必要とされる帯域幅が非常に低い標準プロトコルである、ＲＳ４２２又はＲＳ２３２とすることができる。
【００４０】
さらに低い通信要求を有する２次データ３１２’の例は、現場２１の機器の、制御室１１から送信されエラー管理及びエラー制御用のデータ、又は、映像及び音声情報のバックアップなどの他の実時間データのバックアップに関連するデータである。
【００４１】
制御室１１における第１のクルー１２のメンバー１２ａ、１２ｂと現場２１における第２のクルー２２のメンバー２２ａ、２２ｂとの間の音声通信に関連するデータは、ゼロ時間遅延要求を有することがあり、１次データ３１１’とみなされる。また、このデータは通信の緊急性に応じて、２次データ３１２’とみなすこともできる。
【００４２】
この通信の優先度にかかわらず、本発明は、第１のクルー１２のメンバー１２ａ、１２ｂと第２のクルー２２のメンバー２２ａ、２２ｂとの間の通信が、図２に関して説明されるように実現することができることを教示する。
【００４３】
第１の部分１が第１の通信マトリクス１３を備え、この第１の通信マトリクス１３では、第１の入力出力接続部１３１ｉ、１３１ｏは第１のクルー１２のメンバー１２ａ、１２ｂ専用であることが提案される。これは、第１の通信マトリクス１３が、制御室の第１のクルーのメンバー間において必要とされるいかなる通信も、これらの第１の入力及び出力接続部１３１ｉ、１３１ｏを介して可能とするように適合されていることを意味する。
【００４４】
同様に、第２の部品２が第２の通信マトリクス２３を備え、この第２の通信マトリクス２３では、第２の入力及び出力接続部２３２ｉ、２３２ｏが第２のクルー２２のメンバー２２ａ、２２ｂ専用であることが提案される。これは、第２の通信マトリクス２３が、現場の第２のクルーのメンバー間において必要とされるいかなる通信も、これらの第２の入力及び出力接続部２３２を介して可能とするように適合されていることを意味する。
【００４５】
これら２つの通信マトリクス１３、２３は、第１のクルー１２のメンバー１２ａ、１２ｂの間の通信と、第２のクルー２２のメンバー２２ａ、２２ｂの間の通信を可能とする。しかしながら、本発明は第１のクルー１２の任意のメンバー１２ａ、１２ｂが第２のクルー２２の任意のメンバー２２ａ、２２ｂと通信すること、及びその逆の通信の可能性を提供する。
【００４６】
この可能性を提供するために、あたかも第２のクルーのこれらのメンバーが制御室１１にいるかのように、第１の通信マトリクス１３における第３の入力１３３ｉ及び出力１３３ｏの接続部が第２のクルー２２のメンバー２２ａ、２２専用であることが提案される。同様に、あたかも第１のクルーのこれらのメンバーが現在現場２１にいるかのように、第２の通信マトリクス２３における第４の入力２３４ｉ及び出力２３４ｏの接続部が第１のクルー１２のメンバー１２ａ、１２ｂ専用であることが提案される。
【００４７】
それゆえに、第１のクルー１２のメンバー１２ａと第２のクルー２２のメンバー２２ａとの間の接続は、第３の出力接続部１３３ｏから第４の入力接続部２３４ｉへと発信データを通信し、かつ、第４の出力接続部２３４ｏから第３の入力接続部１３３ｉへと発信データを通信することによって確立することができる。
【００４８】
このデータは、通信の実時間要求に応じて１次データ３１１’又は２次データ３１２’であるとして信号経路３１を介して通信し、第３の出力接続部１３３ｏ及び第４の出力接続部２３４ｏからの発信データと、第３の入力接続部１３３ｉ及び第４の入力接続部２３４ｉへの入力データとを含む。
【００４９】
第１のクルー１２のメンバー１２ａと第２のクルー２２のメンバー２２ａとの間の接続の例について、この接続を提供する本発明の方法の具体例として説明される。
この例において、第１の通信マトリクス１３における第１の接続部１３１ｉ、１３３ｏの中の入力接続部「３」及び出力接続部「Ｃ」は、第１のクルー１２のメンバー１２ａに割り当てられている。本発明によれば、第２の通信マトリクス２３における第４の接続部２３４ｉ、２３４ｏの中の入力接続部「３」及び出力接続部「Ｃ」も第１のクルー１２の同じメンバー１２ａに割り当てられている。
【００５０】
また、この例において、第２の通信マトリクス２３における第２の接続部２３２ｉ、２３２ｏの中の入力接続部「６」及び出力接続部「Ｆ」は、第２のクルー２２のメンバー２２ａに割り当てられている。本発明によれば、第１の通信マトリクス１３における第３の接続部１３３ｉ、１３３ｏの中の入力接続部「６」及び出力接続部「Ｆ」も、第２のクルー２２の同じメンバー２２ａに割り当てられている。
【００５１】
これら２人のメンバー１２ａ、２２ａが互いに通信するのを可能とするために、第１の通信マトリクス１３における第１の入力接続部１３１ｉの中の入力接続部「３」は、第２の通信マトリクス２３における第２の出力接続部２３２ｏの中の出力接続部「Ｆ」に接続されることになる。
【００５２】
これは、第１の入力接続部１３１ｉの中の入力接続部「３」から第１の通信マトリクス１３における第３の出力接続部１３３ｏの中の出力接続部「Ｆ」への入力データの切り替えによって達成され、そしてデータは、第２の通信マトリクス２３への信号経路３１を介して、第２の通信マトリクス２３における第４の入力接続部２３４ｉの中の入力接続部「３」へと通信する。そして、データは、第４の入力接続部２３４ｉの中の入力接続部「３」から第２の通信マトリクス２３における第２の出力接続部２３２ｏの中の出力接続部「Ｆ」へと切り替えられ、第１のクルー１２のメンバー１２ａから第２のクルー２２のメンバー２２ａへの経路が確立される。
【００５３】
２人のメンバー１２ａ、２２ａの間における双方向通信を提供するために、同様にして第２のチームのメンバー２２ａから第１のチームのメンバー１２ａへの経路、すなわち、第２の接続部２３２ｉの中の入力接続部「６」から第２の通信マトリクス２３における第４の出力接続部２３４ｏの中の出力接続部「Ｃ」へ、この第４の出力接続部２３４ｏから信号経路３１を介して第１の通信マトリクス１３における第３の接続部１３３ｉの中の入力接続部「６」へ、及び、この第３の接続部１３３ｉの中の入力接続部「６」から第１の通信マトリクス１３における第１の接続部１３１ｏの中の出力接続部「Ｃ」への経路が確立される。
【００５４】
２次データ３１２’が、制御室１１から第２の通信マトリクス２３を設定、管理及び制御するために必要とされる制御データＣｔｒｌ２３を含むことが提案される。それは、異なるクルーメンバー間において必要とされる全ての接続を、メンバーが属しているクルーにかかわらず、制御室から確立することができることを意味する。
【００５５】
第２の通信マトリクス２３が第１の通信マトリクス１３の論理的ミラーであるように構成及び管理されることも提案される。それは、第１の通信マトリクス１３における入力接続部と出力接続部との間において形成されるいかなる接続又はいかなる接続解除も、第２の通信マトリクス２３における対応する入力接続部と出力接続部との間と同時に行われることを意味する。これは、上記例において、接続部１３ａが、第１の通信マトリクス１３における第１の入力接続部１３３ｉの中の入力接続部「３」と第３の出力接続部１３３ｏの中の出力接続部「Ｆ」との間で形成されたとき、対応する接続部２３ａも、第２の通信マトリクス２３における第４の入力接続部２３４ｉの中の入力接続部「３」と第２の出力接続部２３２ｏの中の出力接続部「Ｆ」との間で同時に形成されることを意味する。これは、第２の通信マトリクス２３に対して制御信号ｃｔｒｌ２３として機能するように、第１の通信マトリクス１３を制御するために使用される制御信号ｃｔｒｌ１３をコピーし、かつそれを２次データ３１２’として送ることによって達成されることができる。
【００５６】
２次データ３１２’に属している異なるデータストリームは、通信の遅延に関して相互に異なる要求を有する場合もある。第１及び第２の部分１、２の間における完全データストリーム３’について利用可能な帯域幅の使用の優先順位を与え、最適化する可能性を提供するために、第２の論理的信号経路３１２を、異なるサービス品質をそれぞれ提供するいくつかの異なる信号経路に分割し、機器の遠隔制御及びクルーメンバー間の音声通信などの実時間アプリケーションに関連したデータは、エラー管理及び通信マトリクスの管理などの非実時間アプリケーションに関連したデータよりも高いサービス品質を有する論理的信号経路を介して通信するように適合されることが提案される。
【００５７】
本発明は、通信において必要とされるサービス品質を達成するために、少なくとも第１の論理的信号経路３１１が光ファイバ通信によって実現されることを提案する。
第２の論理的信号経路３１２が光ファイバ通信によって実現されることも提案される。
【００５８】
図３は、第１の部分１が、映像制作のための制御室１１における通常の部分又は機器であってもよく、第２の部分２ａ、２ｂ、・・・、２ｎが、スポーツ又は他のエンターテイメントのためのアリーナなど、録画のために頻繁に使用される異なる現場２１ａ、２１ｂ、２１ｎに配置することができる通常の部分であってもよいことを概略的に示している。これは、頻繁に使用される現場と記録のために現場に運ばれる機器との間に、容易にアクセス可能なインターフェースを提供し、この場合、制御室１１を、広域ネットワーク３によって第２の部分２ａ、２ｂ、・・・、２ｎに接続して、現場で使用される機器にアクセスすることは容易である。
【００５９】
第２の部分２ｘは、遠隔の現場２１ｘに移動及び移送することができる移動部分であってもよく、その場合、ＯＢバス全体を移動させるという問題を有することがない。
第１の部分１が、２つ以上の別個の第２の部品２ａ、２ｂ、・・・、２ｎと同時に通信するように適合され、その２つ以上の第２の部分が、異なる現場に、又は大きなイベントを主催している広い現場において互いに離れて配置することができることも提案される。ここで、別個の第２の部分は、いくつかの異なる現場において起こるイベントに関連する、又は互いに関連のない異なるイベントに関連する遠隔映像・音声制作のために使用してもよい。
【００６０】
図４は、制御室１１及び現場２１に存在することができる異なる機能及び構成要素の説明を示している。第１の部分１が、ファイバマルチプレクサ（ＭＵＸ）・デマルチプレクサ（ＤｅＭＵＸ）と、受信映像信号、計算信号又は「オンエア信号」、カメラ制御信号、音声制御信号、及び、異なるクルーのメンバー間で通信するために使用されるインターコム信号を管理するためのユニットとを備えることができることが示されている。
【００６１】
第２の部分２が、ファイバマルチプレクサ（ＭＵＸ）・デマルチプレクサ（ＤｅＭＵＸ）と、映像信号、計算信号、カメラ制御信号、音声制御信号、及び、インターコム信号を管理するユニットとを備えることができることも示されている。
【００６２】
本発明は、その上述の、図示された例示的実施形態に限定されるものではなく、その変更は、添付する特許請求の範囲によって定義されるような本発明の範囲内で行うことができることが理解される。
【図１】
2014502076.tif 000003
【図２】
2014502076.tif 000004
【図３】
2014502076.tif 000005
【図４】
2014502076.tif 000006
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
遠隔映像・音声制作のためのシステムであって、
映像制作のための制御室に関連する第１の部分と、記録予定のイベントの現場における第２の部分とを備え、
前記第１及び第２の部分がデータストリームによって互いに通信し、
前記データストリームが広域ネットワークを通じて前記第１及び第２の部分間で送信されるように適合されており、
信号経路が前記第１及び第２の部分間に前記広域ネットワークを介して確立される、システムにおいて、
前記信号経路が、少なくとも第１及び第２の論理的に分離された経路を備え、
第１の論理的信号経路が１次データを伝送するように適合され、
前記第１の論理的信号経路が、１次データの伝送においてゼロ時間遅延を有するサービス品質を提供するように適合されており、
第２の論理的信号経路が、２次データを伝送するように適合され、２次データがより低いサービス品質を許容することができ、
前記第１の論理的信号経路が、要求される場合には前記第１及び第２の部分間で双方向通信するように適合され、
前記第２の論理的信号経路が、要求される場合には前記第１及び第２の部分間で双方向通信するように適合され、
前記１次データが映像及び音声信号などの実時間データであることを特徴とするシステム。
【請求項２】
前記２次データが、前記現場における遠隔カメラを前記制御室から制御するための遠隔カメラ制御データを含むことを特徴とする請求項１に記載のシステム。
【請求項３】
前記２次データが、前記制御室内の任意のカメラ遠隔制御パネルと前記現場における任意のカメラ制御ユニットとの間の制御データを含むことを特徴とする請求項２に記載のシステム。
【請求項４】
前記２次データが、前記現場における遠隔音声機器を前記制御室から制御するための遠隔音声制御データを含むことを特徴とする請求項１〜３のいずれか一項に記載のシステム。
【請求項５】
前記２次データが、前記制御室から送信され前記現場における機器のエラー管理及びエラー制御用のデータを含むことを特徴とする請求項１〜４のいずれか一項に記載のシステム。
【請求項６】
前記２次データが、前記制御室における第１のクルーのメンバーと前記現場における第２のクルーのメンバーとの間の音声通信を含むことを特徴とする請求項１〜５のいずれか一項に記載のシステム。
【請求項７】
前記第１の部分が第１の通信マトリクスを備え、
前記第１の通信マトリクスでは、第１の入力接続部及び第１の出力接続部は第１のクルーのメンバー専用であり、
前記第１の通信マトリクスが、前記制御室における前記第１のクルーのメンバー間の任意の必要な通信を、前記第１の入力及び出力接続部を介して可能とするように適合されており、
前記第２の部分が第２の通信マトリクスを備え、
前記第２の通信マトリクスでは、第２の入力接続部及び第２の出力接続部は第２のクルーのメンバー専用であり、
前記第２の通信マトリクスが、前記第２のクルーのメンバー間に任意の必要な通信を前記第２の入力及び出力接続部を介して可能とするように適合されており、
前記第１の通信マトリクスでは、第３の入力接続部及び第３の出力接続部は、あたかも前記第２のクルーのメンバーが前記制御室にいるかのように、前記第２のクルーの前記メンバー専用であり、
前記第２の通信マトリクスでは、第４の入力接続部及び第４の出力接続部は、あたかも前記第１のクルーのメンバーが前記現場にいるかのように、前記第１のクルーの前記メンバー専用であり、
前記第３の出力接続部からの発信データは前記第４の入力接続部に通信され、
前記第４の出力接続部からの発信データは前記第３の入力接続部に通信され、
前記１次又は２次データは、通信の実時間要求に応じて、前記第３及び第４の入力接続部への入力データと、前記第３及び第４の出力接続部からの出力データとを含むことを特徴とする請求項６に記載のシステム。
【請求項８】
前記２次データが、前記制御室から送信され前記第２の通信マトリクスを設定、管理及び制御するために必要とされる制御データを含み、
前記第２の通信マトリクスが、前記第１の通信マトリクスの論理的ミラーとして構成及び管理されることを特徴とする請求項７に記載のシステム。
【請求項９】
前記第２の論理的信号経路が、異なるサービス品質をそれぞれ提供するいくつかの異なる信号経路に分割され、機器の遠隔制御及びクルーメンバー間の音声通信など、実時間アプリケーションに関連するデータが、エラー管理及び通信マトリクスの管理など、非実時間アプリケーションに関連するデータよりも高いサービス品質を有する論理的信号経路を介して通信されるように適合されていることを特徴とする請求項１〜８のいずれか一項に記載のシステム。
【請求項１０】
少なくとも前記第１の論理的信号経路が、光ファイバ通信によって実現されることを特徴とする請求項１〜９のいずれか一項に記載のシステム。
【請求項１１】
前記第２の論理的信号経路が、光ファイバ通信によって実現されることを特徴とする請求項１０に記載のシステム。
【請求項１２】
前記第２の部分が、記録予定のイベントに頻繁に使用される現場に配置された固定部であることを特徴とする請求項１〜１１のいずれか一項に記載のシステム。
【請求項１３】
前記第２の部分が、記録予定のイベントに使用される現場へ移動可能な移動部であることを特徴とする請求項１から１１のいずれか一項に記載のシステム。
【請求項１４】
前記第１の部分が、２つ以上の第２の部分と同時に通信するように適合されていることを特徴とする請求項１〜１３のいずれか一項に記載のシステム。
【国際調査報告】
2014502076.tif 000007
2014502076.tif 000008
2014502076.tif 000009
2014502076.tif 000010